(57)【要約】【課題】    偏荷重に強い吊り戸用のスライドレールを提供する【解決手段】  壁面に取り付けされ、下列部分のアウターレールでは垂直方向の負荷を支え、上列部分のアウターレールでは水平方向の負荷を支えるようにアウターレールの形状が構成され、インナーレール形状はそれぞれのアウターレール形状にボールを介して反対側から押圧する形状に構成され、それぞれのボール列との接触面はボールと同じ曲率の円弧断面形状を有し、それぞれのアウターレール・インナーレール間にはボール列を配したリテーナが設けられ、上下のリテーナ同士が複数個の連結具で連結されてなる吊り戸用スライドレール【選択図】図３
2008163710.tif 000002
【特許請求の範囲】
【請求項１】
壁面に対し平行取り付けするタイプのスライドレールであってアウターレールの形状が下列のボール群を垂直方向下方から支え、上列のボール群を水平方向から支えるように構成されてなり、インナーレールの形状が下部は下列のボールを垂直方向上方から押さえ、しかもアウターレールのボール支え面とボールを介して反対側が押さえ面になってアウターレールとボール、そしてインナーレールとボールとの接触面が互いにこのボール外周と同じ曲率の円弧状の断面形状を有してお互いでボールを包み込む形状となり、またインナーレールの上横部は上列のボールを横方から押さえ、しかもアウターレールのボール支え面とボールを介して反対側が押さえ面になってアウターレールとボール、そしてインナーレールとボールとの接触面が互いにこのボール外周と同じ曲率の円弧状の断面形状を有してお互いでボールを包み込む形状となり、またインナーレール中央部の外面がアウターレールの最大奥行き位置よりも外側位置にあってアウターレールとインナーレールとの間が広い空間部を形成し、上下列の複数のボール群を別々に整列保持させるリテーナがそれぞれ上下に形成されたアウターレール・インナーレールに間に接触することなく設けられ、この上下のリテーナ同士がアウターレールの取り付けボルトに接触せずしかもインナーレールにも接触しない複数個のリテーナ連結具で連結され、連結されたリテーナの両端には上記インナーレール端が上記リテーナの該当端部に達した時このリテーナとこのインナーレールとが同時に移動するように構成された連動具がそれぞれ設けられ、アウターレール両端部にはリテーナやインナーレールの外れ止めブロックが設けられていることを特徴とする吊り戸用スライドレール。
【請求項２】
インナーレールの上部形状は上列のボール群を横方から押さえ、アウターレールの支え面とボールを介して反対側がインナーレールの押さえ面になり、アウターレールとボールとの接触面またはインナーレールとボ−ルとの接触面のうち一方がボールの曲率半径より大きい曲率半径を有し、他方が直線部を有してお互いでボールをはさみ込む断面形状を有することを特徴とする請求項１記載の吊り戸用スライドレール。
【発明の詳細な説明】
【技術分野】
【０００１】  本発明はスライドレールに関するもので特に自動開閉用吊り戸に用いられるスライドレールに関する。
【背景技術】
【０００２】    図６は従来のスライドレールの断面構造を示す図である。図６に示すようにスライドレールはアウターレールとインナーレールと多数のボールとこの多数のボールを接触させることなく整然と並べるためのボールリテーナとにより構成されてなるものであり、物体重量を多数のボールに分散して支え、ほとんど抵抗なく移動させることが出来るため、電子機器から家具や事務机の抽斗に至るまで多方面に用いられている。【０００３】    このタイプのスライドレールは図６に示したように縦方向に用いられ、抽斗などの場合は両側に設けられるため、負荷はインナーレールの下部から下側のボール列を介して下部側アウターレールの内部上側に掛かることになる。ところがこのスライドレールを吊り戸に使用する場合、アウターレールを壁側に固定し、インナーレール側に連結具を用いて吊り戸を取り付ける格好となり、この場合は片持ち構造となり、そのままでは偏荷重が掛かることになりその対策として上下２列のボール列の重心を結ぶ直線上で極力真下にドアの重心部が来るような連結金具を用いてドアが吊下げられていた。また、別な工夫として図７に示したようなスライドレールを壁面に対して垂直に取り付けする構造のスライドレール（特許文献１参照）が発明されてきていた。【０００４】
【特許文献１】  特開２０００−１７０４３５号公報
【発明の開示】
【発明が解決しようとする課題】
【０００５】  今、この２種類のスライドレールを用いて吊り戸を自動化して開閉しようとした時、空き空間の関係や見栄えの点から自動引き戸の開閉駆動装置はどうしても引き戸の上部に持ってくる必要があった。ところが前者の場合、スライドレールのすぐ上に自動引き戸の開閉駆動装置が取り付けできるという利点があるものの、このスライドレール構造の場合は横荷重に対しては曲率半径による溝の深さで支えなければならず、許容されるガタツキもあるため、横方向の荷重が大きくなるとインナーレールが上部のボール列から外れるおそれが生じ、横方向に大荷重が加わるものには使用することが出来ないという不都合がある。【０００６】  また、後者である特許文献１のスライドレールは上からの吊り下げであるため、自動ドア開閉駆動装置はレール吊下げ用ブラケットのさらに上に装着するか、またはインナーレールと引き戸上面との間に自動ドア開閉駆動装置装着する場合は連結金具自身を自動ドア開閉駆動装置に接触せず回避するような形状にしなければならないという不都合があり、また左右のリテーナは連結されていないので左右別々な動きをするため左右のボール群列に均等な負荷荷重が掛からないという不都合があった。本発明はこれらの不都合を解決することを目的として提供されたものである。
【課題を解決するための手段】
【０００７】  本発明は一つには壁面に対し平行取り付けするタイプのスライドレールであってアウターレールの形状が下列のボール群を垂直方向下方から支え、上列のボール群を水平方向から支えるように構成されてなり、インナーレールの形状が下部は下列のボールを垂直方向上方から押さえ、しかもアウターレールのボール支え面とボールを介して反対側が押さえ面になってアウターレールとボール、そしてインナーレールとボールとの接触面が互いにこのボール外周と同じ曲率の円弧状の断面形状を有してお互いでボールを包み込む形状となり、またインナーレールの上横部は上列のボールを横方から押さえ、しかもアウターレールのボール支え面とボールを介して反対側が押さえ面になってアウターレールとボール、そしてインナーレールとボールとの接触面が互いにこのボール外周と同じ曲率の円弧状の断面形状を有してお互いでボールを包み込む形状となり、またインナーレール中央部の外面がアウターレールの最大奥行き位置よりも外側位置にあってアウターレールとインナーレールとの間が広い空間部を形成し、上下列の複数のボール群を別々に整列保持させるリテーナがそれぞれ上下に形成されたアウターレール・インナーレールに間に接触することなく設けられ、この上下のリテーナ同士がアウターレールの取り付けボルトに接触せずしかもインナーレールにも接触しない複数個のリテーナ連結具で連結され、連結されたリテーナの両端には上記インナーレール端が上記リテーナの該当端部に達した時このリテーナとこのインナーレールとが同時に移動するように構成された連動具がそれぞれ設けられ、アウターレール両端部にはリテーナやインナーレールの外れ止めブロックが設けられていることを特徴とする吊り戸用スライドレールであり、また一つにはインナーレールの上部形状は上列のボールを横方から押さえ、アウターレールの支え面とボールを介して反対側がインナーレールの押さえ面になり、アウターレールとボールとの接触面またはインナーレールとボールとの接触面のうち一方がボールの曲率半径より大きい曲率半径を有し、他方が直線部を有してお互いでボールをはさみ込む断面形状を有している吊り戸用スライドレールである。【０００８】  ここで、インナーレール中央部の外面がアウターレールの最大奥行き位置よりも外側位置にあるということはインナーレールにものを取り付けして移動させてもアウターレールには決して当接しないことを意味している。
【発明の効果】
【０００９】  本発明の吊り戸用スライドレールは下列のボール列により垂直方向の荷重を支え、上列のボール列により水平方向の荷重を支えるように構成されているため、吊り戸の厚みなどが変更になって偏荷重が発生してもそのまま吊り戸を取り付けするだけでボール列からの外れなどの問題は発生することがなく、スライドレールが壁面に対して平行取り付けであるため、吊り戸とスライドレールとがＬ型の取り付けブラケットだけで良く、さらにＬ型の取り付けブラケットから、上部に設置されたガイドケース内の回転ネジ軸に噛み合わせるための移動子を容易に装着でき、引き戸上部の空間を最大限コンパクトに活用して吊り戸の自動化が可能になる。また、上下のリテーナが、内部は複数のリテーナ連結具で両端部は連動具で、連結されているため、図６に示す従来通りの上下ボール列の同時の動きが可能であり、さらにリテーナは上下別々に製作できるためそれぞれを簡単形状で加工でき図６で示したような複雑形状のものを製作する必要がないという効果がある。
【発明を実施するための最良の形態】
【００１０】  本発明のスライドレール実施例を、図を用いて説明すると、図１は本発明スライドレールの正面図、図２は実施例１の図１におけるＡ−Ａ断面図、図３は実施例１の図１におけるＢ−Ｂ断面図、図４は実施例２の図１におけるＡ−Ａ断面図、図５は実施例２の図１におけるＢ−Ｂ断面図であり、図６は従来型のスライドレールの断面図、図７は特許文献１のスライドレールの断面図、図８は本発明のスライドレールを吊り戸に装着し、さらに自動ドア装置を設けて自動ドア化した際の取り付け断面図であり、Ａ−Ａ断面図はリテーナ連結具のない部分の断面であり、Ｂ−Ｂ断面図はリテーナ連結具がある部分の断面である。【００１１】  まず実施例１の構成について説明すると、図１〜図３において、壁面８に対し平行取り付けするタイプのスライドレール１０であってアウターレール１の形状が下列のボール３を垂直方向下方から支え、上列のボール３を水平方向から支えるように構成されてなり、インナーレール２の形状が下部は下列のボール３を垂直方向上方から押さえ、しかもアウターレール１のボール支え面とボールを介して反対側が押さえ面になってアウターレール１とボール３、そしてインナーレール２とボール３との接触面が互いにこのボール３の外周と同じ曲率の円弧状の断面形状を有してお互いでボール３を包み込む形状となり、またインナーレール２の上横部は上列のボール３を横方から押さえ、しかもアウターレール１のボール３支え面とボール３を介して反対側が押さえ面になってアウターレール１とボール３、そしてインナーレール２とボール３との接触面が互いにこのボール３外周と同じ曲率の円弧状の断面形状を有してお互いでボールを包み込む形状となり、またインナーレール２中央部の外面がアウターレール１の最大奥行き位置よりも外側位置にあってアウターレール１とインナーレール２との間が広い空間部を形成し、上下列の複数のボール３を別々に整列保持させるリテーナ４がそれぞれ上下に形成されたアウターレール１・インナーレール２間に接触することなく設けられ、この上下のリテーナ４、４がアウターレール１の取り付けボルト（図示せず）に接触せずしかもインナーレール２にも接触しない複数個のリテーナ連結具５で連結され、連結されたリテーナ４の両端にはインナーレール２の端がリテーナ４の該当端部に達した時このリテーナ４とこのインナーレール２とが同時に移動するように構成された連動具６、６がそれぞれ設けられ、アウターレール１の両端部にはリテーナ４やインナーレール２の外れ止めブロック７、７が設けられている吊り戸用スライドレール１０である。【００１２】  次にこのスライドレールの使用例について説明すると図８において壁面８にまず引き戸９の開閉方向に水平にスライドレール１０が設置される。このスライドレール１０の上部に歯付回転軸１１が挿通されるところの筋溝付のガイドケース１２が設けられこのガイドケース１２の中に筋溝付の樹脂ライナー１３が嵌め込まれ、この樹脂ライナー１３の内部に歯付回転軸１１が長手方向移動不可に挿通され、更にこの歯付回転軸１１の一方端はカップリングを介して駆動モータ１４に軸連結され、一方、引き戸９側から引き戸９とスライドレール１０とを取り付けする取り付けブラケット１５にガイドケース１２の筋溝部から露出した歯付回転軸１１の噛み合い歯に噛み合って引き戸９を開閉移動させるための螺合歯を有する移動子１６が設けられてなる自動引き戸装置である。この場合、スライドレールには偏荷重が掛かるが実施例１のスライドレールはガタツキもなく、この偏荷重となった引き戸９を容易に支えることが出来る。【００１３】  次に実施例２の構成について説明すると、この実施例２のスライドレールの下側の受け部は実施例１と全く同様の構成であるがスライドレールの上側の構成が異なるものである。図１、図４、図５において、インナーレール２の上部形状は上列のボール３を横方から押さえ、アウターレール１の支え面とボール３を介して反対側が押さえ面になり、アウターレール１とボール３またはインナーレール２とボ−ル３との接触面のうちインナーレール２のボール３との接触面がボールの曲率より大きい曲率を有し、アウターレール１のボール３との接触面が直線部を有しているスライドレール１０である。【００１４】  これはこのスライドレール１０に引き戸による偏荷重が掛かり、しかも引き戸９の下部にガイドローラ（図示せず）がない場合に有効なスライドレール１０である。この場合引き戸９が壁面と直角方向に若干スウィングしながら進む時、負荷はスライドレール１０のインナーレール２下列のボール接触面を通してアウターレール１下列のボール接触面で支えられ、引き戸９のスウィングは下列ボール３の中心軸を芯にしてスウィングされることになる。そのためスライドレール１０上列のボール３は若干ながら上下に移動するがその移動に対応して上列のアウターレール１のボール接触面は面ではなく点の連続になるが絶えずアウターレール１の直線部において水平方向の力でもって支えることが出来る。
【図面の簡単な説明】
【００１５】
【図１】  スライドレールの正面図
【図２】  実施例１の図１におけるＡ−Ａ断面図
【図３】  実施例１の図１におけるＢ−Ｂ断面図
【図４】  実施例２の図１におけるＡ−Ａ断面図
【図５】  実施例２の図１におけるＢ−Ｂ断面図
【図６】  従来型のスライドレールの断面図
【図７】  特許文献１のスライドレールの断面図
【図８】  スライドレールを吊り戸に装着し、更に自動ドア装置を設けて自動ドア化した際の取り付け断面図
【符号の説明】
【００１６】  １  アウターレール」
２  インナーレール
３  ボール
４  リテーナ
５  リテーナ連結具
６  連動具
７  外れ止めブロック
８  壁面
９  引き戸
１０  スライドレール
１１  歯付回転軸
１２  ガイドケース
１３  樹脂ライナー
１４  駆動モータ
１５  取り付けブラケット
１６  移動子
【図１】
2008163710.tif 000003
【図２】
2008163710.tif 000004
【図３】
2008163710.tif 000005
【図４】
2008163710.tif 000006
【図５】
2008163710.tif 000007
【図６】
2008163710.tif 000008
【図７】
2008163710.tif 000009
【図８】
2008163710.tif 000010